(57)【特許請求の範囲】
【請求項１】
それぞれが発光部を有する複数のＬＥＤモジュールを、配線コードを介して、電流制御装置に直列に接続したＬＥＤ照明装置における前記各ＬＥＤモジュールを支持するＬＥＤ支持装置であって、
上下方向を向く支持部材と、
この支持部材の少なくとも片面に取付けられ、前面に透光部を有し、内部に前記ＬＥＤモジュールを、前記発光部が透光部に面するようにして収容しうるようにした複数のポケットとを備え、
前記ポケットを下方に開口し、その開口部の内面または開口部と対向するシートの片面に、脱落防止用の突部を設けたことを特徴とするＬＥＤ支持装置。
【請求項２】
それぞれが発光部を有する複数のＬＥＤモジュールを、配線コードを介して、電流制御装置に直列に接続したＬＥＤ照明装置における前記各ＬＥＤモジュールを支持するＬＥＤ支持装置であって、
上下方向を向く支持部材と、
この支持部材の少なくとも片面に取付けられ、前面に透光部を有し、内部に前記ＬＥＤモジュールを、前記発光部が透光部に面するようにして収容しうるようにした複数のポケットとを備え、
前記ポケットを、下方に開口する袋状のものとし、この袋状ポケットにおけるいずれか一方のシート片の下端部に、先端部を、ポケットにおける他方のシート片の外面またはシートの片面に面ファスナをもって止着しうる可撓性の脱落防止片を設けたことを特徴とするＬＥＤ支持装置。
【請求項３】
各ポケットの外周面に、放熱孔を設けてなる請求項１または２記載のＬＥＤ支持装置。
【請求項４】
支持部材をシートよりなるものとし、このシートの少なくとも片面に、複数のポケットを、上下方向及び左右方向に間隔を置いて並べて取付けてなる請求項１〜３のいずれかに記載のＬＥＤ支持装置。
【請求項５】
シートに、各ポケットを区画する複数の切断案内線を付設してなる請求項４記載のＬＥＤ支持装置。
【請求項６】
少なくとも一側面に透光性パネルを有する外装ケースと、
前記透光性パネルに各ポケットの透光部が面するようにして、前記外装ケース内に取付けられた、請求項１〜５のいずれかに記載のＬＥＤ支持装置と、
配線コードを介して電流制御装置に直列に接続され、かつそれぞれが発光部を有する複数のＬＥＤモジュールが、前記ＬＥＤ支持装置における各ポケットに、前記発光部が各ポケットの透光部に面するようにして収容されたＬＥＤ照明装置
とを備えることを特徴とする内照式看板。
【請求項７】
支持部材の上下の縁部を、外装ケース内の上下部に止着してなる請求項６記載の内照式看板。
【発明の詳細な説明】
【技術分野】
【０００１】
本発明は、ＬＥＤ支持装置、及びそれを備える内照式看板に関する。
【背景技術】
【０００２】
透光性パネルを内部より照明する内照式看板の光源として、最近では、蛍光灯や白熱電球よりも消費電力が小さく、かつ長寿命であるなどの利点を有するＬＥＤが使用される傾向にある(例えば特許文献１参照)。
【先行技術文献】
【特許文献】
【０００３】
【特許文献１】特開２００６−３１３２７１号公報
【発明の概要】
【発明が解決しようとする課題】
【０００４】
特許文献１に記載されている内照式看板においては、ケースの内部に設けた平板状の支持体に、複数のＬＥＤモジュールを、ねじにより一定間隔おきに取り付けているので、ＬＥＤモジュールを多数取付ける必要のある大型の看板においては、ＬＥＤモジュールの取り付けに時間がかかるとともに、ＬＥＤモジュールの交換等のメンテナンス作業も面倒である。
また、看板の大きさは様々であり、それに応じて、ＬＥＤモジュールの取付け数量を変更する必要があるが、この際には、ＬＥＤモジュールの取付け数に適した長さの支持体を個別に製作し、これに、ＬＥＤモジュール取付け用の複数のめねじ孔や取付孔を加工しなければならないので、看板の組立てや施工に要する工数が増え、コスト高となる。
【０００５】
本発明は、上記問題点に鑑みてなされたもので、複数のＬＥＤモジュールを、ねじ等の取付手段を一切用いることなく、着脱可能に簡単に装着することができ、かつＬＥＤモジュールの取付け数量に対応した長さの支持部材を個別に製作する必要のない、安価なＬＥＤ支持装置、及びそれを備える内照式看板を提供することを目的としている。
【課題を解決するための手段】
【０００６】
本発明によると、上記課題は、次の各項のようにして解決される。
（１）それぞれが発光部を有する複数のＬＥＤモジュールを、配線コードを介して、電流制御装置に直列に接続したＬＥＤ照明装置における前記各ＬＥＤモジュールを支持するＬＥＤ支持装置であって、上下方向を向く支持部材と、この支持部材の少なくとも片面に取付けられ、前面に透光部を有し、内部に前記ＬＥＤモジュールを、前記発光部が透光部に面するようにして収容しうるようにした複数のポケットとを備え、前記ポケットを下方に開口し、その開口部の内面または開口部と対向するシートの片面に、脱落防止用の突部を設ける。
【０００７】
このような構成とすると、複数のＬＥＤモジュールを、支持部材の片面に取付けた各ポケット内に、開口より挿入して収容しうるので、ねじ等の取付手段は一切必要なく、ＬＥＤモジュールの装着作業やメンテナンス等を極めて容易に行いうるとともに、安価なＬＥＤ支持装置を提供することができる。
また、ポケットは下方に開口しているので、雨水や塵埃等がポケット内に入り込む恐れが極めて小さくなる。
さらに、脱落防止用の突部により、ポケットに収容したＬＥＤモジュールの脱落を防止することができる。
【０００８】
（２）それぞれが発光部を有する複数のＬＥＤモジュールを、配線コードを介して、電流制御装置に直列に接続したＬＥＤ照明装置における前記各ＬＥＤモジュールを支持するＬＥＤ支持装置であって、上下方向を向く支持部材と、この支持部材の少なくとも片面に取付けられ、前面に透光部を有し、内部に前記ＬＥＤモジュールを、前記発光部が透光部に面するようにして収容しうるようにした複数のポケットとを備え、前記ポケットを、下方に開口する袋状のものとし、この袋状ポケットにおけるいずれか一方のシート片の下端部に、先端部を、ポケットにおける他方のシート片の外面またはシートの片面に面ファスナをもって止着しうる可撓性の脱落防止片を設ける。
【０００９】
このような構成とすると、上記と同様に、ポケットは下方に開口しているので、雨水や塵埃等がポケット内に入り込む恐れは極めて小さい。
また、ポケットを袋状としてあるので、ポケットを不使用時にコンパクトに折り畳むことができるとともに、ＬＥＤ支持装置を軽量化することができる。
さらに、脱落防止片により、ポケットに収容したＬＥＤモジュールの脱落を防止することができ、かつ脱落防止片は、面ファスナによりシート片またはシートの片面に止着されているので、ポケットの下部開口面を簡単に開放して、ＬＥＤモジュールの交換等のメンテナンス作業等を容易に行うことができる。
【００１０】
（３）上記(１)または(２)項において、各ポケットの外周面に、放熱孔を設ける。
【００１１】
このような構成とすると、ポケット内の温度が過度に上昇することはなくなるので、ＬＥＤモジュールの耐久性が向上する。特に、ポケットの開口部をカバーにより塞いだ際に、ポケット内に熱がこもるのが防止される。
【００１２】
（４）上記(１)〜(３)項のいずれかにおいて、支持部材をシートよりなるものとし、このシートの少なくとも片面に、複数のポケットを、上下方向及び左右方向に間隔を置いて並べて取付ける。
【００１３】
このような構成とすると、例えば合成樹脂等により形成したシートの片面に、同じく合成樹脂等により形成した複数のポケットを、接着や溶着等により比較的容易に取り付けることができ、かつＬＥＤ支持装置を軽量化することができる。
また、支持部材は、１枚のシートのみでよいので、部品点数が削減される。
さらに、シートに、複数のポケットを、上下方向及び左右方向に間隔を置いて並べて取付けてあるので、各ポケットに収容される複数のＬＥＤモジュールにより、むらなく均一に照明することができる。
【００１４】
（５）上記(４)項において、シートに、各ポケットを区画する複数の切断案内線を付設する。
【００１５】
このような構成とすると、１枚のシートを、ＬＥＤ支持装置を取付ける取付体の大きさや、それに使用するＬＥＤモジュールの個数に対応して、切断案内線より適宜の大きさに切り取って使用しうるので、異なる大きさの複数のシートを、個別に製作したり、在庫として保管したりしておく必要がなく、経費の低減が図れる。
【００１６】
（６）本発明の内照式看板は、少なくとも一側面に透光性パネルを有する外装ケースと、前記透光性パネルに各ポケットの透光部が面するようにして、前記外装ケース内に取付けられた、上記(１)〜(５)項のいずれかに記載のＬＥＤ支持装置と、配線コードを介して電流制御装置に直列に接続され、かつそれぞれが発光部を有する複数のＬＥＤモジュールが、前記ＬＥＤ支持装置における各ポケットに、前記発光部が各ポケットの透光部に面するようにして収容されたＬＥＤ照明装置とを備えるものとする。
【００１７】
このような構成とすると、外装ケース内に、上記(１)〜(５)項のいずれかに記載のＬＥＤ支持装置を設けることにより、ＬＥＤ支持装置の各ポケットに、複数のＬＥＤモジュールを、簡単に、かつ短時間で装着することができるので、看板の組立てや施工に要する工数が大幅に削減され、看板の製作コストが低減する。
【００１８】
（７）上記(６)項において、支持部材の上下の縁部を、外装ケース内の上下部に止着する。
【００１９】
このような構成とすると、支持部材の上下の縁部を外装ケース内の上下部に止着することにより、ＬＥＤ支持装置の各ポケットに収容された複数のＬＥＤモジュールにより、透光性パネルを外装ケースの内部より効果的に照明することができる。
この際、支持部材をシートとすると、透光性パネルのほぼ全面を、内部より均一に、かつ効果的に照明することができる。
【発明の効果】
【００２０】
本発明のＬＥＤ支持装置によれば、複数のＬＥＤモジュールを、支持部材の片面に取付けた各ポケット内に、開口より挿入して収容しうるので、ねじ等の取付手段は一切必要なく、ＬＥＤモジュールの装着作業やメンテナンス等が極めて容易となる。
【００２１】
また、本発明の内照式看板によれば、ＬＥＤ支持装置の各ポケットに、複数のＬＥＤモジュールを、簡単に、かつ短時間で装着することができるので、看板の組立てや施工に要する工数が大幅に削減され、看板の製作コストが低減する。
【図面の簡単な説明】
【００２２】
【図１】本発明のＬＥＤ支持装置の第１の実施形態、及びそれを備える内照式袖看板の斜視図である。
【図２】図１のＩＩ−ＩＩ線拡大縦断側面図である。
【図３】同じく、ＩＩＩ−ＩＩＩ線拡大横断平面図である。
【図４】シートの正面図である。
【図５】本発明のＬＥＤ支持装置の第２の実施形態の一部を示す斜視図である。
【図６】図５のＶＩ−ＶＩ線縦断側面図である。
【図７】本発明に関係するＬＥＤ支持装置の第１の参考例、及びそれを備える看板の斜視図である。
【図８】図７のＶＩＩＩ−ＶＩＩＩ線拡大縦断側面図である。
【図９】本発明に関係するＬＥＤ支持装置の第２の参考例の一部を示す斜視図である。
【図１０】図９のＸ−Ｘ線縦断側面図である。
【図１１】本発明に関係するＬＥＤ支持装置の第３の参考例の一部を示す斜視図である。
【図１２】図１１のＸＩＩ−ＸＩＩ線縦断側面図である。
【発明を実施するための形態】
【００２３】
以下、本発明の実施形態を、図面に基づいて説明する。
図１〜図３は、本発明のＬＥＤ支持装置の第１の実施形態と、それを備える内照式袖看板１を示すもので、袖看板１は、建物の側壁面２に取付けられている。
【００２４】
袖看板１の外装ケース３は、上面板４、底面板５、左右の側板６、６における長手方向の両端同士を結合して形成された不透光性の枠状パネル７と、この枠状パネル７の前後(以下、図１の右側方を前として説明する)の開口面に取付けられた透光性パネル８、８とからなっている。
枠状パネル７における前後方向の中央部内面には、中央が大きく開放された正面視枠状の取付部材９が固定されている。
【００２５】
外装ケース３内には、ＬＥＤ支持装置１０が収容されている。ＬＥＤ支持装置１０は、上下左右の端部が、取付部材９の前面に複数の止めねじ１１により固定された合成樹脂製の上下方向を向くシート１２と、その前後両面に、上下方向及び左右方向に一定間隔おきに並べて取付けられた下方に開口する複数のポケット１３とからなっている。なお、上下及び左右方向に並ぶポケット１３の個数及び間隔は、それらに収容される後述のＬＥＤモジュール１８により、透光性パネル８の全面をほぼ均一に照明しうるように、袖看板１の大きさに応じて適切に決められる。
【００２６】
図２及び図３に示すように、前後の各ポケット１３は、可撓性を有する透明な合成樹脂等により、側面視内向き倒立Ｌ字状断面、かつ平面視内向きコ字状断面をなすように形成され、外周縁に連設された外向きの鍔片１４を、シート１２の前後の面に接着または溶着することにより、一体的に取付けられている。
【００２７】
図４に示すように、複数のポケット１３を上下及び左右方向に一定の間隔を置いて並べて取付けたシート１２を、上下方向(または左右方向)に長尺なものに形成し、このシート１２に、上下方向に並ぶポケット１３を上下または左右複数ずつに区画しうる上下左右方向を向く複数の切断案内線１５を付設しておくことにより、１枚のシートを、袖看板１の上下寸法または左右寸法に適した長さに切断して使用することができる。従って、袖看板１の上下または左右寸法に対応して、長さの異なる複数のシート１２を個別に製作したり、在庫として保管したりしておく必要がなく、経費の低減が図れる。
【００２８】
前後の各ポケット１３の下端部と対向するシート１２の前後両面には、各ポケット１３内に収容された後記するＬＥＤモジュール１８の脱落を防止する突部１６が突設されている。なお、このような脱落防止用の突部１６は、ポケット１３における前板１３ａの下端部の内面に突設してもよい。
また、例えばポケット１３の内部空間を、ＬＥＤモジュール１８の大きさよりも僅かに小とし、ポケット１３を弾性変形させて、ＬＥＤモジュール１８を挿入し、ＬＥＤモジュール１８をポケット１３により弾性保持しうるようにすれば、突部１６は省略することもある。
【００２９】
ＬＥＤ支持装置１０における各ポケット１３には、ＬＥＤ照明装置１７を装着してある。ＬＥＤ照明装置１７は、前後の各ポケット１３と同じ個数の複数のＬＥＤモジュール１８同士を、配線コード１９により直列に接続したものよりなり、前後のＬＥＤ照明装置１７における終端のＬＥＤモジュール１８に接続した配線コード１９を、外装ケース３の底面板５の上面に取付けた電流制御装置２０の電源ケーブル２１、２１に、コネクタ２２をもって接続する。
【００３０】
ＬＥＤモジュール１８を、厚肉円板状の基板２３と、この基板２３に電気的に接続して取付けられた高輝度ＬＥＤ発光素子からなる発光部２４と、この発光部２４を覆う半円形の光拡散レンズ２５とからなるものとし、ＬＥＤモジュール１８は、各ポケット１３内に下方より余裕をもって収容可能な形状とされている。なお、光拡散レンズ２５は、発光部２４の光を、透光性パネル８側に、透明なポケット１３を透過して広角に拡散させるためのものであるが、袖看板１の大きさが比較的小さく、かつＬＥＤモジュール１８の取付け個数が多い場合等においては、光拡散レンズ２５を省略することもある。
【００３１】
ＬＥＤ照明装置１７をシート１２に装着するには、枠状パネル７に透光性パネル８を取付ける前において、互いに直列に接続した前後複数のＬＥＤモジュール１８を、各ポケット１３内に、各ＬＥＤモジュール１８の発光部２４が、透光部であるポケット１３の前板１３ａと面するように、すなわち、それぞれの発光部２４を前方と後方に向けて、下方より収容し、ＬＥＤモジュール１８の基板２３の下面を突部１６の上面に載置するだけでよい。なお、ポケット１３の両側板１３ｂ、１３ｂを指でつまんで押圧し、前板１３ａをシート１２より離間する方向に弾性変形させれば、ポケット１３の下部開口面を拡げることができるので、ポケット１３内へのＬＥＤモジュール１８の挿脱を容易に行うことができる。
【００３２】
このように、各ＬＥＤモジュール１８をポケット１３内に下方より収容することにより、シート１２へのＬＥＤモジュール１８の取付けに、ねじ等の取付手段は一切必要なく、ＬＥＤ照明装置１７の装着作業、及び各ＬＥＤモジュール１８の交換等のメンテナンス作業等が極めて容易となるとともに、ＬＥＤ支持装置１０のコスト低減が図れる。
また、シート１２に、ＬＥＤ照明装置１７を極めて簡単に、かつ短時間で装着しうることから、袖看板１の組立てや施工に要する工数は大幅に削減され、袖看板１の製作コストも低減させることができる。
さらに、各ポケット１３は、下方に開口し、上面が閉塞されているので、外装ケース３内に侵入した雨水や塵埃等がポケット１３内に入り込むことがない。
【００３３】
図５及び図６は、本発明のＬＥＤ支持装置の第２の実施形態の一部を示すもので、この実施形態のポケット２６は、例えばポリプロピレン、ポリエチレン、塩化ビニール等の透明な合成樹脂シートにより、下方に開口する袋状に形成され、前後の各ポケット２６は、その内方のシート片２６ａの外面を、シート１２の前後の面に、接着または溶着等により固定して取付けてある。
【００３４】
外方のシート片２６ｂにおける下端部の左右方向の中央部は、上向きに切り欠いてあり、この切欠部２７と対向する内方のシート片２６ａの下部の左右２箇所を、下端から上方に向かって所要の長さだけ切込むことにより、それらの間におけるシート片２６ａの下部中央に、脱落防止片２８が連設されている。
【００３５】
この脱落防止片２８を上向きに折り返し、その上端部を、シート片２６ｂの外面下部に、面ファスナ２９をもって着脱自在に止着することにより、ポケット２６内に収容したＬＥＤモジュール１８の脱落が防止されるようにしてある。
なお、上記のような切欠部２７や切込みを形成しないで、脱落防止片２８を、内方のシート片２６ａの下縁に直接連設してもよい。
また、脱落防止片２８を、上記とは反対に外側のシート片２６ｂの下縁に連設し、その下端部を、シート１２の前面に面ファスナにより止着するようにしてもよい。
【００３６】
第２の実施形態においても、上記第１の実施形態と同様に、複数のＬＥＤモジュール１８を、シート１２の前後両面に、ねじ等の取付手段を用いることなく、極めて簡単に装着することができる。
また、脱落防止片２７は、面ファスナ２８によりシート片２６ｂに止着されているので、ポケット２６の下部開口面を簡単に開放して、ＬＥＤモジュール１８の交換等のメンテナンス作業等を容易に行うことができる。
【００３７】
図７及び図８は、本発明に関係するＬＥＤ支持装置の第１の参考例を示すもので、この参考例では、シート１２の前後両面に、上記第１の実施形態と同形をなす複数のポケット１３を、上下逆向き、すなわち上方に開口するように取付けるとともに、脱落防止用の突部１６を、前後の各ポケット１３の上端部と対向するシート１２の前後両面に設けてある。なお、この実施形態においては、ＬＥＤモジュール１８が脱落しにくいように、例えばポケット１３の深さを大とした際等には、突部１６は省略することもある。
【００３８】
各ポケット１３の底板１３ｃには、複数の水抜き孔２９が穿設され、万一、外装ケース３内に侵入した雨水がポケット１３内に入り込んでも、水抜き孔２９より下方に排出されるようにしてある。なお、このような水抜き孔２９の位置は、ポケット１３の底部であればどこでもよい。
【００３９】
第１の参考例においても、上記実施形態と同様に、複数のＬＥＤモジュール１８を、シート１２の前後両面に、ねじ等の取付手段を用いることなく、上方より極めて簡単に装着することができる。
【００４０】
図９及び図１０は、本発明に関係するＬＥＤ支持装置の第２の参考例の一部を示すもので、上記第２の参考例と同様のポケット１３の直上において、シート１２の前後両面に、シート１２側と下方に開口するキャップ状のカバー３０、３０を、そのシート１２側の開口部の上縁に連設された上向片３０ａを、それぞれシート１２の前面と後面に接着または溶着等をもって固定することにより、前後のポケット１３の開口部を塞ぐようにしてある。カバー３０は、可撓性を有する薄肉の合成樹脂等により形成されている。
【００４１】
図１０の２点鎖線で示すように、カバー３０を上向きに弾性変形させることにより、ＬＥＤモジュール１８をポケット１３内に収容することができる。
カバー３０の左右寸法を、ポケット１３のそれよりも若干大とすることにより、カバー３０の側片３０ｂ、３０ｂと、ポケット１３の側板１３ｂ、１３ｂとの対向面間には隙間が形成され、この隙間と、ポケット１３の両側板１３ｂの上端部に形成した凹溝３１とを介して、ポケット１３に収容したＬＥＤモジュール１８の配線コード１９を外部に導出しうるようにしてある。
【００４２】
ポケット１３の底板１３ｃには、複数の放熱孔３２が穿設され、ＬＥＤモジュール１８より発散される熱を、底板１３ｃの放熱孔３２を介して外部に放熱するか、放熱孔３２を介して、ポケット１３の内外を連通させることにより、開口面をカバー３０により塞いだことによるポケット１３内の温度が、過度に上昇するのを防止し、ＬＥＤモジュール１８の耐久性を向上させうるようにしてある。なお、放熱孔３２は、ポケット１３の側板１３ｂや前板１３ａに設けてもよい。
また、このような放熱孔３２は、上記第１〜第２の実施形態におけるポケット１３、２６の外周面にも設けてもよい。
【００４３】
第２の参考例においても、上記実施形態と同様に、複数のＬＥＤモジュール１８を、シート１２の前後両面に、ねじ等の取付手段を用いることなく、極めて簡単に装着することができる。
また、カバー３０を設けたことにより、ＬＥＤモジュール１８がポケット１３内より脱落するのが防止されるとともに、外装ケース３内に侵入した雨水や塵埃等がポケット１３内に入り込むことがなくなる。
【００４４】
図１１及び図１２は、本発明に関係するＬＥＤ支持装置の第３の参考例の一部を示すもので、この第３の参考例においては、ポケット１３の直上において、シート１２の前後両面に、ポケット１３の開口面を余裕をもって塞ぎうる大きさのシート状カバー３３の上向片３３ａを、接着または溶着等により取り付けてある。カバー３３は、可撓性を有する薄肉の合成樹脂等により形成されている。
【００４５】
図１２の２点鎖線で示すように、カバー３３を上向きに弾性変形させることにより、ＬＥＤモジュール１８をポケット１３内に収容することができる。
ＬＥＤモジュール１８の配線コード１９は、ポケット１３の両側板１３ｂの上端部に形成した凹溝３１を介して、外部に導出しうるようにしてある。
【００４６】
ポケット１３の底板１３ｃには、上記と同様の複数の放熱孔３２が穿設され、ポケット１４内の温度が過度に上昇するのを抑えるようになっている。
【００４７】
第３の参考例においても、上記第１及び第２の実施形態と同様の作用効果を奏することができる。
【００４８】
本発明は、上記実施形態に限定されるものではない。
上記実施形態では、外装ケース３の前後両面に透光性パネル８を有するものとしてあるが、透光性パネル８は片面のみであってもよい。この際には、シート１２における透光性パネル８と対向する片面にのみ、ポケット１３、２６を取り付ければよい。
【００４９】
さらに、上記実施形態では、シート１２を、外装ケース３内に設けた枠状の取付部材９にねじ止めして取り付けてあるが、取付部材９を省略して、シート１２の上下の端部または左右の端部、またはそれら両方の端部を、枠状パネル７の内面に直接固定して取付けるようにしてもよい。この際には、シート１２の上下の端縁または前後の端縁、またはそれらの両方の端縁に、前後方向に直角に折り曲げた取付片を連設もしくは固着して、この取付片を枠状パネル７の内面にねじ等により固定すればよい。
【符号の説明】
【００５０】
１  内照式袖看板
２  側壁面
３  外装ケース
４  上面板
５  底面板
６  側板
７  枠状パネル
８  透光性パネル
９  取付部材
１０  ＬＥＤ支持装置
１１  止めねじ
１２  シート
１３  ポケット
１３ａ前板
１３ｂ側板
１３ｃ底板
１４  鍔片
１５  切断案内線
１６  突部
１７  ＬＥＤ照明装置
１８  ＬＥＤモジュール
１９  配線コード
２０  電流制御装置
２１  電源ケーブル
２２  コネクタ
２３  基板
２４  発光部
２５  光拡散レンズ
２６  ポケット
２６ａシート片
２６ｂシート片
２７  切欠部
２８  脱落防止片
２９  面ファスナ
３０  水抜き孔
３１  カバー
３１ａ上向片
３１ｂ側片
３２  凹溝
３３  放熱孔
３４  カバー
３４ａ上向片
【図１】
0005714881.tif 000002
【図２】
0005714881.tif 000003
【図３】
0005714881.tif 000004
【図４】
0005714881.tif 000005
【図５】
0005714881.tif 000006
【図６】
0005714881.tif 000007
【図７】
0005714881.tif 000008
【図８】
0005714881.tif 000009
【図９】
0005714881.tif 000010
【図１０】
0005714881.tif 000011
【図１１】
0005714881.tif 000012
【図１２】
0005714881.tif 000013